【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
巻上げ機、とくに乗用エレベータのロープであって、幅が該ロープの横断方向の厚さより広いロープにおいて、該ロープは、複合材料で作られた荷重支持部を含み、前記複合材料は、ポリママトリックス内に炭素繊維もしくはガラス繊維からなる強化繊維を含むことを特徴とする巻上げ機のロープ。
【請求項２】
前記請求項のいずれかに記載のロープにおいて、前記強化繊維は該ロープの長手方向に配向されていることを特徴とするロープ。
【請求項３】
請求項１ないし２のいずれかに記載のロープにおいて、個々の繊維は前記マトリックスに均一に 分散されていることを特徴とするロープ。
【請求項４】
請求項１ないし３のいずれかに記載のロープにおいて、前記強化繊維は連続した繊維であり、該ロープの長手方向に配向され、好ましくは該ロープの全長にわたって延在していることを特徴とするロープ。
【請求項５】
請求項１ないし４のいずれかに記載のロープにおいて、前記強化繊維は、前記ポリママトリックスによって、好ましくは製造段階において前記強化繊維をポリママトリックス材に浸漬することによって、一体の荷重支持部として互いに結合されていることを特徴とするロープ。
【請求項６】
請求項１ないし５のいずれかに記載のロープにおいて、前記荷重支持部は、該ロープの長手方向に平行な複数の直状強化繊維からなり、ポリママトリックスによって互いに結合されて一体の要素を形成していることを特徴とするロープ。
【請求項７】
請求項１ないし６のいずれかに記載のロープにおいて、前記荷重支持部の 強化繊維の実質的にすべては該ロープの長手方向に延在していることを特徴とするロープ。
【請求項８】
請求項１ないし７のいずれかに記載のロープにおいて、前記荷重支持部は 一体の長尺状体であることを特徴とするロープ。
【請求項９】
請求項１ないし８のいずれかに記載のロープにおいて、前記強化繊維は、該強化繊維と前記マトリックス間の化学的接着性を改善するための被覆を含むことを特徴とするロープ。
【請求項１０】
請求項１ないし９のいずれかに記載のロープにおいて、該ロープの構造は、実質的に均一な構造として該ロープの全長にわたって連続していることを特徴とするロープ。
【請求項１１】
請求項１ないし10のいずれかに記載のロープにおいて、前記荷重 支持部の構造は、実質的に均一な構造として該ロープの全長にわたって連続していることを特徴とするロープ。
【請求項１２】
請求項１ないし11のいずれかに記載のロープにおいて、前記ポリママトリックスは非エラストマ系材料からなることを特徴とするロープ。
【請求項１３】
請求項１ないし12のいずれかに記載のロープにおいて、前記ポリママトリックス（Ｍ）の弾性係数（Ｅ）は、２ GPaを超え、好ましくは2.5 GPaを超え、さらに好ましくは2.5〜10 GPaの範囲内、最も好ましくは2.5〜3.5 GPaの範囲内であることを特徴とするロープ。
【請求項１４】
請求項１ないし13のいずれかに記載のロープにおいて、前記ポリママトリックスは、エポキシ、ポリエステル、フェノール樹脂またはビニルエステルを含むことを特徴とするロープ。
【請求項１５】
請求項１ないし14のいずれかに記載のロープにおいて、前記荷重 支持部の横断面方形面積の50%を超える分は前記強化繊維からなり、好ましくは50%〜80%が前記強化繊維からなり、さらに好ましくは55%〜70%が前記強化繊維からなり、最も好ましくは前記方形面積の約60%が強化繊維から、また約40%がマトリックス材料からなることを特徴とするロープ。
【請求項１６】
請求項１ないし15のいずれかに記載のロープにおいて、前記強化 繊維は前記マトリックス材料とともに、一体の荷重支持部を形成し、その内部では、繊維同士の間、または繊維とマトリックスとの間の相対的な擦過運動が実質的に生じないことを特徴とするロープ。
【請求項１７】
請求項１ないし16のいずれかに記載のロープにおいて、前記荷重 支持部の幅は該ロープの横断方向の厚さより広いことを特徴とするロープ。
【請求項１８】
請求項１ないし17のいずれかに記載のロープにおいて、該ロープは、前記荷重支持部を多数含み、これらは互いに隣接して位置することを特徴とするロープ。
【請求項１９】
請求項１ないし18のいずれかに記載のロープにおいて、該ロープは、前記複合材料部の外側にワイヤ、ラスもしくは金属製格子などの少なくとも１つの金属製要素を追加的に含むことを特徴とするロープ。
【請求項２０】
請求項１ないし19のいずれかに記載のロープにおいて、前記荷重 支持部はポリマ層で囲まれ、該層は、好ましくはエラストマ、最も好ましくはポリウレタンなどの高摩擦性エラストマからなることを特徴とするロープ。
【請求項２１】
請求項１ないし20のいずれかに記載のロープにおいて、前記荷重 支持部は、該ロープの横断面の大部分を覆っていることを特徴とするロープ。
【請求項２２】
請求項１ないし21のいずれかに記載のロープにおいて、前記荷重 支持部は、前記ポリママトリックスと、該ポリママトリックスによって互いに結合された強化繊維と、場合に応じて該繊維の周囲に設けられることのある被覆と、前記ポリママトリックス内に含まれることのある補助材料とからなることを特徴とするロープ。
【請求項２３】
請求項１ないし22のいずれかに記載のロープにおいて、該ロープの構造は実質的に均一な構造として該ロープの全長にわたって連続し、該ロープは、実質的に平坦な、好ましくは完全に平坦な幅広側面を含み、該幅広側 面で摩擦による力の伝達が可能であることを特徴とするロープ。
【請求項２４】
駆動綱車、該駆動綱車を回転させる動力源、エレベータかご、および該エレベータかごを前記駆動綱車によって動かすロープ系を含み、該ロープ系は、少なくとも１本のロープを含み、その幅（t2）は前記ロープの横断方向におけるその厚さ（t1）より広いエレベータにおいて、前記ロープは、複合材料で作られた荷重支持部を含み、前記複合材料はポリママトリックス内に強化繊維を含み、該強化繊維は炭素繊維もしくはガラス繊維からなることを特徴とするエレベータ。
【請求項２５】
請求項24に記載のエレベータにおいて、前記ロープは請求項１ないし23のいずれかに記載のものであることを特徴とするエレベータ。
【請求項２６】
請求項24または25のいずれかに記載のエレベータにおいて、該エレベータは前記ロープを多数本含み、これらは前記駆動綱車の周縁に互いに並んで取り付けられていることを特徴とするエレベータ。
【請求項２７】
請求項24ないし26のいずれかに記載のエレベータにおいて、該エレベータは、プーリ、好ましくは前記駆動綱車に対して配された第１のベルト状ロープもしくはロープ部分（Ａ）と、第１のロープもしくはロープ部分に対して配された第２のベルト状ロープまたはロープ部分（Ｂ）とを含み、該ロープもしくはロープ部分（Ａ、Ｂ）は、その曲げ半径の方向から見てプーリの周縁に互いに重ねて取り付けられていることを特徴とするエレベータ。
【請求項２８】
前記請求項に記載のエレベータにおいて、第１のロープもしくはロープ部分（Ａ）は、これに対して配された第２のロープもしくはロープ部分（Ｂ）へ、前記エレベータかごおよび/または釣合い重りに取り付けられた転換プーリを周回するチェーン、ベルトもしくは同等のものによって連結されることを特徴とするエレベータ。
【請求項２９】
請求項24ないし28のいずれかに記載のエレベータにおいて、前記ロープは第１の転向プーリを周回し、該プーリにおいて前記ロープは第１の曲げ方向に曲がり、その後、前記ロープは第２の転向プーリを周回し、該プーリにおいて前記ロープは第２の曲げ方向に曲がり、第２の方向は第１の方向とは実質的に反対であることを特徴とするエレベータ。
【請求項３０】
請求項24ないし29のいずれかに記載のエレベータにおいて、前記ロープはエレベータかごおよび釣合い重りを動かすよう配設されていることを特徴とするエレベータ。
【請求項３１】
請求項24ないし30のいずれかに記載のエレベータにおいて、該エレベータは補償用ロープなしで設置されることを特徴とするエレベータ。
【請求項３２】
請求項24ないし31のいずれかに記載のエレベータにおいて、該エレベータは、巻上げ高さが30メートルを超え、好ましくは30〜80メートル、最も好ましくは40〜80メートルの釣合い重り式エレベータであり、該エレベータは補償用ロープなしで 設置されることを特徴とするエレベータ。
【請求項３３】
請求項24ないし32のいずれかに記載のエレベータにおいて、該エレベータは高層エレベータであることを特徴とするエレベータ。
【請求項３４】
請求項24ないし33のいずれかに記載のエレベータにおいて、該エレベータの巻上げ高さは75メートルを超え、好ましくは100メートルを超え、さらに好ましくは150メートルを超え、最も好ましくは250メートルを超えることを特徴とするエレベータ。
【請求項３５】
請求項１ないし23のいずれかに記載の巻上げ機のロープをエレベータ、とくに乗用エレベータの巻き上げロープとすることを特徴とする巻上げ機ロープの用途。
【請求項３６】
前記請求項に記載の用途において、前記エレベータは請求項24ないし34のいずれかに記載のものであることを特徴とする用途。
【請求項３７】
請求項35ないし36のいずれかに記載の用途において、請求項１ないし21のいずれかに記載のロープをエレベータの巻上げロープとして使用し、該エレベータは補償用ロープなしで設置することを特徴とする用途。
【請求項３８】
請求項35ないし37のいずれかに記載の用途において、請求項１ないし21に記載のロープを釣合い重り式エレ ベータの巻上げロープとして使用し、該エレベータは、30メートルを超え、好ましくは30〜80メートル、最も好ましくは40〜80メートルの巻き上げ高さを有し、補償用ロープなしで設置することを特徴とする用途。
【請求項３９】
請求項35ないし38のいずれかに記載のエレベータにおいて、請求項１ないし23のいずれかに記載のロープをエレベータ巻上げロープとして、高層エレベータであるエレベータにおいて使用することを特徴とする用途。
【請求項４０】
請求項35ないし39のいずれかに記載の用途において、請求項1ないし23のいずれかに記載のロープをエレベータ巻上げロープとして、巻上げ高さが75メートルを超え、好ましくは100メートルを超え、さらに好ましくは150メートルを超え、最も好ましくは250メートルを超えるエレベータにおいて使用することを特徴とする用途。
【請求項４１】
請求項35ないし40のいずれかに記載の用途において、請求項１ないし23のいずれかに記載のロープを使用して、少なくとも１台のエレベータと、好ましくは釣合い重りも支持して動かすことを特徴とする用途。